(57)【要約】【課題】  空気供給装置等の供給装置によって供給される気体や液体の供給流量を精度良く調節することができる燃料電池システムを提供する。【解決手段】  この燃料電池システムにおいては、流量計測器１３の指示値に基づいて空気供給装置１２が制御されるが、この流量計測器１３の指示値は、空気供給装置１２によって空気が供給されていない場合に、流量ゼロを示す値となるように補正される。これにより、流量計測器１３の指示値が実際の供給流量を示すようになるので、空気供給装置１２によって供給される空気の供給流量を精度良く調節することが可能となる。【選択図】  図２
2010218888.tif 000002
【特許請求の範囲】
【請求項１】
原燃料を改質することにより生成された改質ガスを用いて発電を行う燃料電池システムであって、
気体又は液体を供給する供給装置と、
前記供給装置によって供給された前記気体又は前記液体の供給流量を計測する流量計測器と、
前記流量計測器の指示値に基づいて前記供給装置を制御する制御装置と、を備え、
前記制御装置は、前記供給装置によって前記気体又は前記液体が供給されていない場合において、前記流量計測器の指示値が流量ゼロを示す値となっていないときには、前記流量ゼロを示す値となるように前記流量計測器の指示値を補正することを特徴とする燃料電池システム。
【請求項２】
前記制御装置は、前記流量ゼロを示す値と前記流量計測器の指示値との差が所定の閾値を超えている場合には、システムの運転を停止させることを特徴とする請求項１記載の燃料電池システム。
【請求項３】
前記制御装置は、システムの起動時に前記流量計測器の指示値の補正を行うことを特徴とする請求項１又は２記載の燃料電池システム。
【請求項４】
前記供給装置は、前記原燃料を改質する改質器の改質触媒を加熱するバーナ燃焼器に空気を供給するものであり、
前記流量計測器は、前記供給装置によって供給された前記空気の供給流量を計測するものであることを特徴とする請求項１〜３のいずれか一項記載の燃料電池システム。
【発明の詳細な説明】
【技術分野】
【０００１】
本発明は、燃料電池システムに関する。
【背景技術】
【０００２】
従来の燃料電池システムとして、灯油や都市ガス等の炭化水素燃料（原燃料）を水蒸気改質して水素含有ガス（改質ガス）を生成する改質装置と、改質装置によって生成された改質ガス及び空気を電気化学的に発電反応させる燃料電池と、を備えるものが知られている（例えば、特許文献１参照）。
【先行技術文献】
【特許文献】
【０００３】
【特許文献１】特開２００５−２９３９５１号公報
【発明の概要】
【発明が解決しようとする課題】
【０００４】
ところで、上述したような燃料電池システムにおいては、例えば、改質装置における改質効率を好適に維持してシステムの運転の安定化を図る観点から、改質触媒を加熱するバーナ燃焼器に空気供給装置によって供給される空気の供給流量を精度良く調節することが重要である。
【０００５】
本発明は、このような事情に鑑みてなされたものであり、空気供給装置等の供給装置によって供給される気体や液体の供給流量を精度良く調節することができる燃料電池システムを提供することを目的とする。
【課題を解決するための手段】
【０００６】
上記目的を達成するために、本発明に係る燃料電池システムは、原燃料を改質することにより生成された改質ガスを用いて発電を行う燃料電池システムであって、気体又は液体を供給する供給装置と、供給装置によって供給された気体又は液体の供給流量を計測する流量計測器と、流量計測器の指示値に基づいて供給装置を制御する制御装置と、を備え、制御装置は、供給装置によって気体又は液体が供給されていない場合において、流量計測器の指示値が流量ゼロを示す値となっていないときには、流量ゼロを示す値となるように流量計測器の指示値を補正することを特徴とする。
【０００７】
この燃料電池システムにおいては、流量計測器の指示値に基づいて供給装置が制御されるが、この流量計測器の指示値は、供給装置によって気体又は液体が供給されていない場合に、流量ゼロを示す値となるように補正される。これにより、流量計測器の指示値が実際の供給流量を示すようになるので、空気供給装置等の供給装置によって供給される気体や液体の供給流量を精度良く調節することが可能となる。
【０００８】
また、制御装置は、流量ゼロを示す値と流量計測器の指示値との差が所定の閾値を超えている場合には、システムの運転を停止させることが好ましい。このような場合には、流量計測器の指示値が流量ゼロを示す値から単にずれているという状態ではなく、システムに何らかの異常が発生していると想定されるため、異常が発生している状態でシステムの運転を継続させることを防止することができる。
【０００９】
また、制御装置は、システムの起動時に流量計測器の指示値の補正を行うことが好ましい。燃料電池システムにおいては、システムの起動命令が入力されてから供給装置が動作するまでに所定の期間（この期間をシステムの起動時という）が存在するので、このシステムの起動時に流量計測器の指示値の補正を行うことで、補正自体の精度の向上、及び起動時後におけるシステムの運転の安定化を図ることができる。
【００１０】
また、供給装置は、原燃料を改質する改質器の改質触媒を加熱するバーナ燃焼器に空気を供給するものであり、流量計測器は、供給装置によって供給された空気の供給流量を計測するものである場合がある。この場合には、改質触媒を加熱するバーナ燃焼器に供給装置によって供給される空気の供給流量が精度良く調節されるので、改質装置における改質効率を好適に維持してシステムの運転の安定化を図ることができる。
【発明の効果】
【００１１】
本発明によれば、空気供給装置等の供給装置によって供給される気体や液体の供給流量を精度良く調節することができる
【図面の簡単な説明】
【００１２】
【図１】本発明に係る燃料電池システムの一実施形態を示す構成図である。
【図２】図１の改質器及びバーナ燃焼器の断面図である。
【図３】図２の流量計測器における電圧信号と空気の供給流量の指示値との対応関係を示すグラフである。
【図４】図２の制御装置による流量計測器の指示値の補正手順を示すフローチャートである。
【発明を実施するための形態】
【００１３】
以下、本発明の好適な実施形態について、図面を参照して詳細に説明する。なお、各図において同一又は相当部分には同一符号を付し、重複する説明を省略する。
【００１４】
図１は、本発明に係る燃料電池システムの一実施形態を示す構成図である。図１に示されるように、燃料電池システム１は、脱硫器２と、改質装置としての燃料処理システム（以下、「ＦＰＳ」という）３と、燃料電池としての固体高分子形燃料電池スタック（以下、「ＰＥＦＣスタック」という）４と、インバータ５と、これらを収容する筐体６と、を具備している。燃料電池システム１は、入手が容易であり且つ独立して貯蔵可能であるという観点から、原燃料として灯油等の液体燃料を用いて発電を行なうものであり、例えば家庭用の電力供給源として採用される。
【００１５】
脱硫器２は、外部から導入された液体燃料に対して脱硫を施すものである。脱硫器２においては、脱硫触媒がヒータによって例えば２２０℃〜２３０℃に加熱されて脱硫に用いられる。脱硫器２には、ポンプ（図示せず）によって液体燃料が供給される。このポンプは、例えば定量型の電磁ポンプ等、液体燃料を加圧しながら脱硫器２に供給するものである。脱硫器２内において液体燃料が加圧されることで、脱硫触媒を比較的高温にしても液体燃料が気化しに難くなるので、液体燃料を液相状態に維持しながら、加熱された脱硫触媒に接触させることができる。また、脱硫器２に液体燃料を供給するポンプとして定量型の電磁ポンプを用いることで、脱硫器２に圧送される液体燃料の圧力が安定化されるので、液体燃料を安定的に脱硫することができる。
【００１６】
ＦＰＳ３は、液体燃料を改質して改質ガスを生成するものであり、改質器７と、バーナ燃焼器８と、を備えている。改質器７は、脱硫された液体燃料と水蒸気とを改質触媒で水蒸気改質反応させて、水素を含有する水蒸気改質ガスを生成する。バーナ燃焼器８は、改質器７の改質触媒を加熱することで、水蒸気改質反応に必要な熱量を供給する。更に、ＦＰＳ３は、変性器９と、選択酸化器１１と、を備えている。変性器９は、改質器７で生成された改質ガスを水性シフト反応させて、一酸化炭素の濃度を低下させる。選択酸化器１１は、変性器９で生成された改質ガスを空気の導入により選択酸化反応させて、一酸化炭素の濃度を更に低下させる。これらの変性器９及び選択酸化器１１を用いることで、一酸化炭素の濃度が１０ｐｐｍ程度の改質ガスが生成される。
【００１７】
ＰＥＦＣスタック４は、複数の電池セルが積み重ねられて構成されており、ＦＰＳ３で生成された改質ガスを用いて発電を行い、ＤＣ電流を出力する。電池セルは、アノード、カソード、及びアノードとカソードとの間に配置された固体酸化物である電解質を有している。各電池セルにおいては、アノードに改質ガスが導入されると共に、カソードに空気が導入されて、電気化学的な発電反応が行われる。なお、ＰＥＦＣスタック４は、通常５５０℃〜１０００℃程度の高温で作動する。インバータ５は、出力されたＤＣ電流をＡＣ電流に変換する。筐体６は、脱硫器２、ＦＰＳ３、ＰＥＦＣスタック４及びインバータ５をモジュール化して収容するものである。
【００１８】
燃料電池システム１には、筐体６の外部からＦＰＳ３に液体燃料を導入するための液体燃料ラインＬ１が設けられている。液体燃料ラインＬ１は、脱硫器２の下流側において、改質器７に液体燃料を導入するための液体燃料ラインＬ１１とバーナ燃焼器８に液体燃料を供給するための液体燃料ラインＬ１２とに分岐されている。
【００１９】
液体燃料ラインＬ１１の改質器７付近には、水蒸気改質に用いる水（原料水）を改質器７に導入するための水ラインＬ２が接続されている。水ラインＬ２の上流側には、水タンク１５が設けられており、水タンク１５には、筐体６の外部から水タンク１５に水を導入するための水ラインＬ２１、及びＰＥＦＣスタック４においてプロセス水を回収するための水ラインＬ２２が接続されている。また、バーナ燃焼器８には、筐体６の外部から空気を導入するための空気ラインＬ３１、及び発電反応に寄与しなかった水素を含むオフガスをＰＥＦＣスタック４から導入するためのオフガスラインＬ５が接続されている。更に、ＰＥＦＣスタック４には、筐体６の外部から空気を導入するための空気ラインＬ３２、及びＦＰＳ３から改質ガスを導入するための改質ガスラインＬ４が接続されている。
【００２０】
次に、上述したバーナ燃焼器８に供給される空気の供給流量の制御について説明する。
【００２１】
図２は、図１の改質器及びバーナ燃焼器の断面図である。図２に示されるように、バーナ燃焼器８は、円筒形状のバーナ部１９及び燃焼筒２１を有している。バーナ部１９には、液体燃料ラインＬ１２から液体燃料を導入するための液体燃料導入部Ｌ１２１、オフガスラインＬ５からオフガスを導入するためのオフガス導入部Ｌ５１、及び空気ラインＬ３１から空気を導入するための空気導入部Ｌ１３１が設けられている。液体燃料ラインＬ１２には、液体燃料を気化してバーナ燃焼器８に導入するための気化器（図示せず）が設けられている。燃焼筒２１は、バーナ燃焼が行われるバーナ燃焼空間Ｓを画定しており、バーナ燃焼空間Ｓの先端部には、バーナ燃焼により発生する燃焼ガスを排出するため開口部２１ａが設けられている。
【００２２】
改質器７は、燃焼筒２１の開口部２１ａから外部に燃焼ガスを排出するための燃焼ガスラインＬ６を介在させた状態で、バーナ燃焼器８を取り囲んでいる。改質器７は、脱硫された液体燃料及び原料水を気化させる気化器２３を有しており、気化器２３の下流側には、燃焼ガスラインＬ６を流通する燃焼ガスの熱により加熱される改質触媒２２が収容されている。改質器７においては、気化器２３によって気化された原燃料ガス及び水蒸気が改質触媒２２に接触しながら流通することで、水蒸気改質反応が進行して改質ガスが生成される。なお、改質触媒２２は、水蒸気改質反応が非常に大きな吸熱反応であり、反応温度が５５０〜７５０℃程度と比較的高いことから、７００℃程度となるようにバーナ燃焼器８によって加熱される。
【００２３】
そして、空気ラインＬ３１には、バーナ燃焼器８に空気を供給するブロア等の空気供給装置（供給装置）１２、及び空気供給装置１２によって供給された空気の供給流量を計測する流量計測器１３が設けられている。なお、流量計測器１３は、電圧信号によって供給流量を示すものである。具体的には、流量計測器１３は、図３に示されるように、電圧信号と空気の供給流量の指示値とのリニアな対応関係Ｒ１を有しており、１Ｖの電圧信号によって空気の供給流量が０Ｌ／分であることを示し、３Ｖの電圧信号によって空気の供給流量が１５Ｌ／分であることを示す。
【００２４】
ところで、バーナ燃焼器８に供給される空気の供給流量が規定の流量よりも多いと、燃焼空気量の過剰に起因したリーン現象によって火炎が不安定となるため、温度が低下して改質効率が低下するおそれがある。一方、バーナ燃焼器８に供給される空気の供給流量が規定の流量よりも少ないと、燃焼空気量の不足に起因したリッチ現象によって火炎が不安定となるため、燃焼ガス中のＣＯやＮＯｘの量が増加するおそれがある。
【００２５】
従って、バーナ燃焼器８に供給される空気の供給流量を精度良く調節することは、極めて重要である。燃料電池システム１においては、図２に示されるように、制御装置１６によって、流量計測器１３の指示値に基づいて空気供給装置１２が制御されるが、以下のように、流量計測器１３の指示値の補正が行われる。
【００２６】
図４は、図２の制御装置による流量計測器の指示値の補正手順を示すフローチャートである。図４に示されるように、まず、システムの起動時であるか否かが判断される（Ｓ０１）。ここで、システムの起動時とは、システムの起動命令が入力されてから空気供給装置１２が動作するまでの所定の期間である。このシステムの起動時には、燃料電池システム１において水循環やヒータの昇温が行われ、空気供給装置１２は、システムの起動時後に始動する。つまり、システムの起動時には、バーナ燃焼器８への空気の供給流量は０Ｌ／分である。
【００２７】
Ｓ０１の判断処理の結果、システムの起動時であった場合には、補正値が算出される（Ｓ０２）。具体的には、空気供給装置１２によって空気が供給されていないにも拘らず、流量計測器１３の指示値が流量ゼロを示す値となっていないときには、流量ゼロを示す値と流量計測器１３の指示値との差が補正値として算出される。例えば、図３に示されるように、システムの起動時に流量計測器１３の指示値が１．３Ｖの電圧信号によって２Ｌ／分となっていたときには、補正値（すなわち、流量ゼロを示す値（０Ｌ／分）と流量計測器１３の指示値（２Ｌ／分）との差）は２Ｌ／分である。
【００２８】
図４に戻り、Ｓ０２の算出処理に続いて、補正値が所定の閾値（例えば３Ｌ／分）以下であるか否かが判断され（Ｓ０３）、その結果、補正値が所定の閾値を超えていた場合には、システムの運転が停止させられる（Ｓ０４）。一方、Ｓ０３の判断処理の結果、補正値が所定の閾値以下であった場合には、流量ゼロを示す値となるように流量計測器１３の指示値が補正される（Ｓ０５）。
【００２９】
具体的には、制御装置１６は、Ｓ０２の算出処理で算出された２Ｌ／分の補正値に基づいて、図３に示されるように、１．３Ｖの電圧信号によって空気の供給流量が２Ｌ／分でなく０Ｌ／分であることを示すように、流量計測器１３における電圧信号と空気の供給流量の指示値との対応関係Ｒ１を、傾きを維持しつつ線形補間により対応関係Ｒ２に補正する。
【００３０】
以上説明したように、燃料電池システム１においては、流量計測器１３の指示値に基づいて空気供給装置１２が制御されるが、この流量計測器１３の指示値は、空気供給装置１２によって空気が供給されていない場合に、流量ゼロを示す値となるように補正される。これにより、流量計測器１３の指示値が実際の供給流量を示すようになるので、空気供給装置１２によって供給される空気の供給流量を精度良く調節することが可能となる。
【００３１】
また、制御装置１６は、流量ゼロを示す値と流量計測器１３の指示値との差（すなわち、補正値）が所定の閾値を超えている場合には、システムの運転を停止させる。このような場合には、流量計測器１３の指示値が流量ゼロを示す値から単にずれているという状態ではなく、システムに何らかの異常が発生していると想定されるため、異常が発生している状態でシステムの運転を継続させることを防止することができる。
【００３２】
更に、制御装置１６は、システムの起動時に流量計測器１３の指示値の補正を行う。このように、システムの起動命令が入力されてから空気供給装置１２が動作するまでの（すなわち、外乱の少ない）システムの起動時に流量計測器１３の指示値の補正を行うことで、補正自体の精度の向上、及び起動時後におけるシステムの運転の安定化を図ることができる。
【００３３】
本発明は、上述した実施形態に限定されるものではない。
【００３４】
例えば、液体燃料としては、灯油の他、ガソリン、ナフサ、軽油、メタノール、エタノール、ＤＭＥ（ジメチルエーテル）、バイオマスを利用したバイオ燃料を用いることができる。また、原燃料として、都市ガス等の気体燃料を用いてもよい。なお、この場合には、脱硫器（脱硫方法）及び改質器（改質方法）は、用いる液体燃料の特性に応じたものとされる。
【００３５】
また、上記実施形態では、ＰＥＦＣスタック４を備えた燃料電池システム１としたが、固体酸化物形燃料電池（ＳＯＦＣ）スタックを備えた燃料電池システムとしてもよい。
【００３６】
更に、上記実施形態は、ＦＰＳ３における改質効率を好適に維持してシステムの運転の安定化を図る観点から、空気供給装置１２によって供給される空気の供給流量を計測する流量計測器１３の指示値を補正する場合であったが、他の供給装置によって供給される気体又は液体の供給流量を計測する他の流量計測器の指示値を補正するようにしてもよい。燃料電池システム１では、選択酸化器１１に供給される空気の供給流量を計測する流量計測器、ＰＥＦＣスタック４の電池セルのカソードに供給される空気の供給流量を計測する流量計測器、液体燃料や水の供給流量を計測する流量計測器等に適用可能である。
【符号の説明】
【００３７】
１…燃料電池システム、７…改質器、８…バーナ燃焼器、１２…空気供給装置（供給装置）、１３…流量計測器、１６…制御装置、２２…改質触媒。
【図１】
2010218888.tif 000003
【図２】
2010218888.tif 000004
【図３】
2010218888.tif 000005
【図４】
2010218888.tif 000006